(57)【要約】      （修正有）【課題】他のもしくは以前の患者データへの簡単なアクセスを達成すると共に、異なるフォーマットもしくは異なる規格で作成された情報を医療用モダリティの制御のために使用可能であるように結合する。【解決手段】医療データセット２にデータオブジェクト１を組み入れるための方法、装置およびシステム、ならびにモダリティおよびコンピュータプログラム生産物に関する。医療データセット２がＤＩＣＯＭ規格でフォーマットされ、データオブジェクト１がＤＩＣＯＭ規格とは異なった規格でフォーマットされている。方法は、データオブジェクト１がＤＩＣＯＭ規格の少なくとも１つのシャドウグループオブジェクト３を介して医療データセット２に組み入れられ、組み入れられたデータオブジェクト１に依存して、進行中の計画されるプロセスが患者検査に関係して制御可能とする。【選択図】図１
2008234644.tif 000002
【特許請求の範囲】
【請求項１】
少なくとも１つの医療データセット（２）に少なくとも１つのデータオブジェクト（１）を組み入れるための方法であって、データオブジェクト（１）および医療データセット（２）が少なくとも１つの患者検査に割り当てられていて、医療データセット（２）がＤＩＣＯＭ規格にしたがってフォーマットされていて、データオブジェクト（１）がＤＩＣＯＭ規格とは異なった規格にしたがってフォーマットされている方法において、
データオブジェクト（１）がＤＩＣＯＭ規格の少なくとも１つのシャドウグループオブジェクト（３）を介して医療データセット（２）に組み入れられ、
組み入れられたデータオブジェクト（１）に依存して、進行中のおよび／または計画されるプロセスが患者検査に関連して制御可能であることを特徴とする方法。
【請求項２】
データオブジェクト（１）が変換されることを特徴とする請求項１記載の方法。
【請求項３】
シャドウグループオブジェクト（３）がデータオブジェクト（１）を受け入れることを特徴とする請求項１又は２記載の方法。
【請求項４】
医療データセット（２）が、組み入れられたデータオブジェクト（１）と結合されること、および／または個別のオブジェクト（１ａ）として記憶されることを特徴とする請求項１乃至３の１つに記載の方法。
【請求項５】
医療データセット（２）が、組み入れられたデータオブジェクト（１）と共に個別のオブジェクト（１ａ）として伝送および／または転送されることを特徴とする請求項１乃至４の１つに記載の方法。
【請求項６】
組み入れられたデータオブジェクト（１）が少なくとも１つの検査室値および／または他の非ＤＩＣＯＭ規格に基づく値を含むことを特徴とする請求項１乃至５の１つに記載の方法。
【請求項７】
医療データセット（２）が画像データ、特に放射線医学データであることを特徴とする請求項１乃至６の１つに記載の方法。
【請求項８】
組み入れられたデータオブジェクト（１）が選択的に自動的に医療データセット（２）と一緒に表示および／または後処理されることを特徴とする請求項１乃至７の１つに記載の方法。
【請求項９】
組み入れられたデータオブジェクト（１）のデータ（４）が医療データセット（２）の処理の枠内で変更可能および／または後処理可能であることを特徴とする請求項１乃至８の１つに記載の方法。
【請求項１０】
組み入れられたデータオブジェクト（１）のデータ（４）が自動的にインターフェースを介して読み込まれることを特徴とする請求項１乃至９の１つに記載の方法。
【請求項１１】
プロセスは、医療技術的方法であり、および／または
医用画像検出および／または
組み入れられたデータオブジェクト（１）および／または医療データセット（２）の表示装置（５０）への表示および／または
医療データセット（２）の操作および／または
組み入れられたデータオブジェクト（１）の操作を含むことを特徴とする請求項１乃至１０の１つに記載の方法。
【請求項１２】
少なくとも１つの医療データセット（２）に少なくとも１つのデータオブジェクト（１）を組み入れるための装置であって、データオブジェクト（１）および医療データセット（２）が少なくとも１つの患者検査に割り当てられていて、医療データセット（２）がＤＩＣＯＭ規格にしたがってフォーマットされていて、データオブジェクト（１）がＤＩＣＯＭ規格とは異なった規格にしたがってフォーマットされている装置において、装置が、少なくとも、
シャドウグループオブジェクト（３）を介してデータオブジェクト（１）を医療データセット（２）に組み入れるためのデータオブジェクト組み入れモジュールと、
データオブジェクト組み入れモジュールに依存して進行中のおよび／または計画されるプロセスを制御するための制御モジュールとを有し、
プロセスがデータオブジェクト（１）に依存して制御され、かつプロセスが患者検査に関連していることを特徴とする装置。
【請求項１３】
請求項１２による装置を含む医療用モダリティ。
【請求項１４】
少なくとも１つのデータオブジェクト（１）を発生する少なくとも１つの第１の医療用モダリティ（３０）と、少なくとも1つの医療データセット（２）を発生する少なくとも１つの第２の医療用モダリティ（３２）とを含む医療システムであって、
医療データセット（２）に少なくとも１つのデータオブジェクト（１）を組み入れるために、第１の医療用モダリティ（３０）が第２の医療用モダリティ（３２）にデータ技術的に接続されていて、
データオブジェクト（１）および医療データセット（２）が少なくとも１つの患者検査に割り当てられていて、医療データセット（２）がＤＩＣＯＭ規格にしたがってフォーマットされていて、データオブジェクト（１）がＤＩＣＯＭ規格とは異なった規格にしたがってフォーマットされていて、データオブジェクト（１）がＤＩＣＯＭ規格の少なくとも１つのシャドウグループオブジェクト（３）を介して医療データセット（２）に組み入れられ、
患者検査に関連している進行中のおよび／または計画されるプロセスが、組み入れられたデータオブジェクト（１）に依存して制御可能であることを特徴とする医療用システム。
【請求項１５】
移動式データ媒体またはコンピュータのメモリ内に直接に読み込み可能であるコンピュータプログラム生産物であって、プログラムが移動式データ媒体またはコンピュータにおいて実行されるときに、方法の全てのステップを請求項１乃至１１の少なくとも１つに記載の方法にしたがって実行するためのプログラムコード手段を有するコンピュータプログラム生産物。
【発明の詳細な説明】
【技術分野】
【０００１】
本発明は、医療データセットへデータオブジェクトを組み入れるための方法、装置およびシステムであって、医療データセットがＤＩＣＯＭ規格にしたがってフォーマットされているのに対して、データオブジェクトがＤＩＣＯＭ規格とは異なった規格にしたがってフォーマットされている方法、装置およびシステムに関する。
【背景技術】
【０００２】
例えばＸ線装置またはコンピュータ断層撮影装置のような医療用モダリティの助けによる患者の医学的検査において、病院の現在のＩＴ基盤施設では、治療医師のために、医療用モダリティの助けにより検査経過を患者に関する他の情報に依存して狙いを定めてかつ患者に合わせて実施するのに、例えば異なったまたは先行の検査からのもしくは他の医療検査モダリティからの検査室値のような患者に関する情報を現在の検査に自動的に取り込むこと、もしくは取り込ませることが可能でない。
【０００３】
Ｘ線画像の撮影および／または診断のような画像発生診断においては、患者の検査室値が考慮されなければならない（甲状腺値による甲状腺診断、造影剤および腎臓値による腎臓検査、血糖値によるＦＤＧ−ＰＥＴ検査など参照）。検査室値は、時として、ある特定の従業員の投入によってかつ部分的に時間遅れをとなってしか準備および入手をすることができない。その上、医療用モダリティを追加情報（例えば検査室値）に依存して制御することができ、かつモダリティの助けにより追加情報に依存して検査過程を自動進行させることができるいかなる可能性も存在しない。
【発明の開示】
【発明が解決しようとする課題】
【０００４】
したがって、例えば放射線医のような治療医師が、診断所見の作成を医療用モダリティの助けにより行なおうとするときに、もしくは行なっているときに、他のもしくは以前の患者データへの簡単なアクセスを達成する方法および装置を用意することが望まれている。この場合に、異なる医療用モダリティに由来する他の付加的な患者データがアクセス可能であるとよい。
【０００５】
同様に、一人の患者に関して異なるフォーマットもしくは異なる規格で作成された情報を次のように結合すること、すなわち迅速なアクセスが可能でありかつ情報の結合もしくは情報の他の情報への組み入れが医療用モダリティの制御のために使用可能であるように結合することが望まれている。
【課題を解決するための手段】
【０００６】
そこで本発明にしたがって、少なくとも１つの医療データセットへ少なくとも１つのデータオブジェクトを組み込むための方法が提供される。この方法においては、データオブジェクトおよび医療データセットが少なくとも１つの患者検査に割り当てられている。医療データセットがＤＩＣＯＭ規格にしたがってフォーマットされている。データオブジェクトがＤＩＣＯＭ規格とは異なった規格にしたがってフォーマットされている。本発明による方法は、データオブジェクトがＤＩＣＯＭ規格の少なくとも１つのシャドウグループオブジェクトを介して医療データセットに組み入れられ、組み入れられたデータオブジェクトに依存して、進行中のおよび／または計画されるプロセスが患者検査に関連して制御可能であることを特徴とする。この場合にシャドウグループオブジェクトがＤＩＣＯＭ規格にしたがってフォーマットもしくは定義されているとよい。
【０００７】
少なくとも１つのデータオブジェクトは、例えば試験管内診断装置によって発生させられた１つ以上の検査室値を含み得る。代替として、データオブジェクトが、非ＤＩＣＯＭデータの組み合わせからなっていることも、および／または患者特有のまたは検査特有の他のデータまたはパラメータを含むこともよい。
【０００８】
異なった実施形態では、少なくとも１つのデータオブジェクトが、オンラインにて例えばネットワークを介して中央のデータバンクまたは他のモダリティからリアルタイムで使用される値を含む。例えば少なくとも１つのデータオブジェクトが、患者において脈拍測定装置により確認された患者脈拍数の現在値を含むことができ、この場合に患者は同時にコンピュータ断層撮影装置の撮影プロセス中である。
【０００９】
少なくとも１つのデータセットは、例えば１つ以上の、例えば医療用モダリティによって発生もしくは測定されたＸ線画像の如き医用画像であるとよい。データセットはＤＩＣＯＭ規格にしたがって定義もしくはフォーマットされているとよい。
【００１０】
ＤＩＣＯＭは、“Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ”の略記であり、医学におけるディジタル画像の交換のための世界的なオープンスタンダードを表す。ＤＩＣＯＭの規則により、画像データの記憶のためのフォーマットも、画像もしくは画像データの交換のための通信プロトコルも指定される。ＤＩＣＯＭオブジェクトは、ＤＩＣＯＭ画像ファイル、すなわちＤＩＣＯＭヘッダもしくはセクションおよびＤＩＣＯＭピクセルデータからなる。
【００１１】
ＤＩＣＯＭオブジェクトもしくはＤＩＣＯＭデータは、種々のモダリティによって種々の医療分野からしかも種々の互いに別々の部門において発生させられる。この場合に医療用モダリティとは、（一般にはディジタルの）患者に関する医学的データの発生、検出、変更のための検査装置であると理解される。したがって、医療用モダリティは、既に述べたように、例えばコンピュータ断層撮影装置、Ｘ線装置、乳房撮影装置、超音波装置、内視鏡などである。
【００１２】
シャドウグループオブジェクトは、静的なオブジェクトまたは動的なオブジェクトである。例えば検査室において分析装置によって検査室値が発生させられ、分析装置がＤＩＣＯＭでないフォーマットで存在するデータを発生するだけである場合には、データが第１ステップにおいてシャドウグループオブジェクトに挿入されるとよい。
【００１３】
この場合にシャドウグループオブジェクトは、例えば能動的なオブジェクトとして自動的に自ら動作してそれの活性自体を制御するか、またはシャドウグループオブジェクトの活性が使用者によって制御され得る。
【００１４】
シャドウグループオブジェクトは、例えば、患者の健康状態に関する医療データセットを発生する医療用モダリティによって活性化され制御され得る。
【００１５】
進行中のおよび／または計画されるプロセスは、例えばＸ線装置による患者のＸ線検査のような医療技術的方法であるとよい。本発明による方法にしたがって、ＤＩＣＯＭ規格でないデータ、例えばＤＩＣＯＭ規格とは異なる規格で存在する検査室値は、Ｘ線画像の如き医療上の発生データセットを修正するために、これらの情報が使用されるように後処理される。更に、それにより、プロセスのＸ線経過、すなわちＸ線装置自体および例えば放射強度の如きそれの設定も現在の検査室値によって制御することができる。したがって、プロセスは、医療用モダリティの検査プロセスや、例えば画像データの後処理のためのデータ処理および画面へのデータ表示であり得る。プロセスは組み入れられたデータオブジェクトによって制御可能である。
【００１６】
他の医療分野において、例えば、フルオロデオキシグルコース（ＦＤＧ）の如き薬剤による陽電子放出断層撮影（ＰＥＴ）検査の時点での高すぎる血中ブドウ糖濃度は、組織内へのＦＤＧの受け入れが少なすぎることをもたらし得る。この影響は、本発明による方法により、発生させられた医療データセット、すなわち画像の求められた血糖値に依存した修正によって解消される。血糖値は、陽電子放出断層撮影装置の発生すべき医用画像とは異なるフォーマットで存在する検査室値である。本発明による方法の特徴にしたがって、検査室値をデータバンクから読み込み、医用画像の操作のために使用することができ、あるいは医用画像に組み入れて、画面の如き表示装置において表示することができる。
【００１７】
本発明による方法の異なる実施形態では、呼び出されたもしくはデータセットに組み入れられたデータオブジェクト、すなわち検査室値を、検査の計画時に既にモダリティの助けにより利用することができる。例えば、腎臓値が変化した場合に、少ない造影剤投与量が提示され、もしくはモダリティにおいて設定される。
【００１８】
本発明による方法により、放射線医学検査プロセスにおいてデータもしくは値の簡単化された取り込みを、病院のＩＴ構成の最小限の変更だけで実現することができる。
【００１９】
この場合にＩＴ構成は、例えばＰＡＣＳシステムを含む。ＰＡＣＳは、“Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ”の略記であって、ディジタルデータ処理装置およびネットワークに基づく画像保管および通信システムである。
【００２０】
本発明の他の観点によれば、方法は少なくとも１つのデータオブジェクトが変換されることを特徴とする。
【００２１】
そのことは、例えば、あるフォーマットのデータオブジェクトを他のフォーマットに損失なく移行させることであると理解される。それゆえ、ＤＩＣＯＭでないデータオブジェクトはＤＩＣＯＭの医療データセットに組み入れられるとよい。この場合に、組み入れおよび／または変換はシャドウグループオブジェクトの助けにより行なわれるとよい。それにしたがって、データオブジェクトがシャドウグループオブジェクトに中間保管されて変換され、しかる後にシャドウグループオブジェクトから医療データセットに引き渡される。代替の実施形態においては、この種のシャドウグループオブジェクトが、医療用モダリティの助けにより発生させられたまたは発生させられるべき医療データセットの一体的な構成部分である。それにより動的な相互操作性が実現される。
【００２２】
本発明による他の実施形態では、少なくとも１つのシャドウグループオブジェクトが少なくとも１つのデータオブジェクトを受け入れる。
【００２３】
データオブジェクトは任意に指定可能である。データオブジェクトを医療データセットに組み入れるために設けられているシャドウグループオブジェクトは、データオブジェクトの受け入れのために、データオブジェクトに応じて構成されたインターフェースを有する。
【００２４】
異なった実施形態では、医療データセットが、組み入れられたデータオブジェクトと結合されているか、個別のオブジェクトとして保存されるかのいずれかであるか、それともその両方である。
【００２５】
例えば、それは、例えば検査室値の如きデータオブジェクトが、例えばＸ線画像の如き医療データセットと共通なデータバンクを介してポインタにより結合されていることであると理解することができる。これは、ＰＡＣＳシステムにおけるメモリ媒体に対する少ない要求をもたらす。
【００２６】
他方では、医療データセットの中に個別のオブジェクトとして組み入れられたデータオブジェクトの保存は、所望のもしくは関連のある情報への迅速なアクセスを可能にし、したがって検査プロセスの能率向上に役立つ。
【００２７】
個別のオブジェクトとして医療データセットと一緒にデータオブジェクトを記憶すること、すなわち共通な記憶は、ＣＤ、ＤＶＤなどにおいても行なうことができ、患者に持たせることができる。したがって、メモリ媒体上の全ての関連情報が中央に保存されていて、データの読み出しのための変換措置もしくは他の付加的な方法またはモジュールを全く必要としない。なぜならば、これらは１つのフォーマットで存在するからである。この場合に、例えば検査室値を同一のＤＩＣＯＭオブジェクト、すなわち同一のＤＩＣＯＭデータセットに保存することができる。
【００２８】
本発明による方法の他の実施形態では、医療データセットが、個別のオブジェクトとしての組み入れられたデータオブジェクトと共に伝送および／または転送される。
【００２９】
それにより、ＰＡＣＳシステム内のデータ転送が動的に管理され、ネックを回避することができる。
【００３０】
本発明の他の特徴にしたがって、少なくとも１つのデータオブジェクトが、少なくとも１つの検査室値および／または他の非ＤＩＣＯＭ規格に基づく値を含む。
【００３１】
非ＤＩＣＯＭ規格に基づく値は、例えば患者撮影時に治療のために取得される基本情報の如き数値および名前、年齢、住所の如きデータである。そこで、本発明にしたがって、モダリティにおける医療検査時にこの種の情報も医用画像と一緒に表示させ、これらを一緒に保存または後処理することも可能である。
【００３２】
一般的には少なくとも１つの医療データセットが画像データ、特に放射線医学データを含む。
【００３３】
モダリティによって発生させられる医療データセットはＤＩＣＯＭ規格にしたがって定義されている。
【００３４】
異なる実施形態では、本発明による方法は、少なくとも１つの組み入れられたデータオブジェクトが、選択的に自動的に医療データセットと一緒に表示および／または後処理されることを特徴とする。
【００３５】
医療データセットへのデータオブジェクトの組み入れは、医療データセットの作成とほとんど同時に行なわれるとよい。それによって、とりわけ迅速かつ確実な検査経過が実現される。更に加えて、ほとんど同時に検査装置、すなわち医療用モダリティおよびそれの進行が影響を及ぼされるとよい。
【００３６】
しかしながら、基本的には組み入れ過程は時間的に制限されず、（画像）データセットの作成中または作成後に任意の時点で行なうことができる。
【００３７】
本発明の他の特徴によれば、組み入れられたデータオブジェクトのデータもしくは値が医療データセットの処理の枠内で変更可能および／または後処理可能である。
【００３８】
それにより、例えば医用画像データに組み込まれる検査室値が表示装置に表示されるだけでなく、値が医用画像データの変更、すなわち画像データ表示の操作をもたらすというシナリオが描出される。
【００３９】
本発明の他の特徴によれば、組み入れられたデータオブジェクトのデータが自動的にインターフェースを介して読み込まれる。代替として、手動によるデータ転送（例えば持ち運び可能なメモリ媒体）が用意されている。
【００４０】
代替としての実施形態では、本発明による方法のインターフェースがシャドウグループオブジェクトを含み、シャドウグループオブジェクトが医療データセットに対して互換性である。
【００４１】
それにより少ない管理費用を達成することができ、このことが時間節約をもたらす。
【００４２】
好ましくは、プロセスは、医療技術的方法であり、および／または医用画像検出および／または組み入れられたデータオブジェクトおよび／または医療データセットの表示装置への表示および／または医療データセットの操作および／または組み入れられたデータオブジェクトの操作を含む。
【００４３】
それによって、例えばデータバンク内に保存されたフォーマットの異なる検査室値がそれに属する検査に結合される。例えば甲状腺値が、甲状腺シンチグラフィの時点または遅れた時点でこのシンチグラフィの画像データと組み合わされる
【００４４】
他の課題解決は、添付の請求項による本発明による方法を実施するための装置にある。本発明による方法の説明に関して先に述べた利点、特徴および代替の実施形態は、相応に本発明による装置、システム、モダリティおよび生産物に適用することができる。方法による特徴は、それぞれ度相応のモジュールで実現されている。したがって、少なくとも１つのデータオブジェクトを少なくとも１つの医療データセットに組み入れるための装置であって、少なくとも１つのデータオブジェクトおよび少なくとも１つの医療データセットが少なくとも１つの患者検査に割り当てられている装置が提供される。少なくとも１つの医療データセットがＤＩＣＯＭ規格にしたがってフォーマットされていて、少なくとも１つのデータオブジェクトがＤＩＣＯＭ規格とは異なった規格にしたがってフォーマットされている。この装置は、少なくとも、シャドウグループオブジェクトインターフェースを介してデータオブジェクトを医療データセットに組み入れるためのデータオブジェクト組み入れモジュールを含み、更に、データオブジェクト組み入れモジュールに依存して進行中のおよび／または計画されるプロセスを制御するための制御モジュールを含み、プロセスがデータオブジェクトに依存して制御されるかまたは制御可能であり、かつプロセスが患者検査に関連している。
【００４５】
この場合に、シャドウグループオブジェクトインターフェースが、ＤＩＣＯＭ規格を介して定義されているか、もしくはＤＩＣＯＭ規格を満たすとよい。代替としての実施形態において、シャドウグループオブジェクトインターフェースは、他のデータオブジェクトを医療データセットに組み入れるために製造元特有のパラメータに関して拡張されている。
【００４６】
本発明による装置のそれぞれのモジュールの間において信号交換が行なわれるとよい。本発明による装置は、例えばパーソナルコンピュータまたはワークステーションの如き電子データ処理装置の構成部分であるとよい。代替として、装置は医療用モダリティの構成部分であるとよい。本発明による装置、ハードウェアおよび／またはソフトウェアにて実施することができる。
【００４７】
この場合に、電子データ処理装置は、例えば中央処理ユニット（ＣＰＵ）、メインボード、例えばコンピュータキーボードまたはコンピュータマウスの如きデータ入力装置もしくはナビゲーション装置、例えば画面の如き表示装置のための表示インターフェース、ネットワークカードの形でのネットワーク構成への連結のための通信ポート、メモリモジュール（ＲＡＭ，ＲＯＭ）、ディスクコントローラ、ＣＤ−ＲＯＭ／ＤＶＤドライブ、ハードディスク、ディスクドライブなどのような公知の構成要素を含む。
【００４８】
他の課題解決はここに記載されているような本発明による装置を含む医療用モダリティにある。医療用モダリティは一般的に表示装置を含む。例えば医療用モダリティは、既に述べように、Ｘ線装置、断層撮影装置、内視鏡などであり、これらはそれぞれフォーマットの異なったデータオブジェクトを組み入れるように構成されている。
【００４９】
本発明によれば医療用システムも設けられている。医療用システムは、１つのデータオブジェクトを発生する少なくとも１つの第１の医療用モダリティと、医療データセットを発生する少なくとも１つの第２の医療用モダリティとを有する。医療データセットにデータオブジェクトを組み入れるための方法を実施するために、第１の医療用モダリティが第２の医療用モダリティ）にデータ技術的に接続されている。データオブジェクトおよび医療データセットが少なくとも１つの患者検査に割り当てられていて、医療データセットがＤＩＣＯＭ規格にしたがってフォーマットされていて、データオブジェクトがＤＩＣＯＭ規格とは異なった規格にしたがってフォーマットされている。データオブジェクトがＤＩＣＯＭ規格の少なくとも１つのシャドウグループオブジェクトを介して医療データセットに組み入れられ、患者検査に関連している進行中のおよび／または計画されるプロセスが、組み入れられたデータオブジェクトに依存して制御可能である。
【００５０】
この場合に、シャドウグループオブジェクトはＤＩＣＯＭ規格を満たすか、もしくはこの規格にしたがって定義されている。
【００５１】
本発明による方法の説明に関連して先に述べた利点、特徴および代替の実施形態は、本発明による装置ならびに本発明によるシステムにも相応に適用することができる。
【００５２】
先に述べた本発明による方法の実施形態はコンピュータプログラム生産物としても構成することができ、コンピュータが上述の本発明による方法を実施するように指令し、それのプログラムコードがプロセッサによって実行される。
【００５３】
代替的な課題解決は、前述のコンピュータで実現される方法を記憶するように定められていてコンピュータによって読取可能であるメモリ媒体を予定している。
【００５４】
更に、先に述べた方法の個々の構成要素は商業的に取引性のあるユニットにて、残りの構成要素は異なった商業的に取引性のあるユニットにて、いわば分散システムとして、実施可能である。
【００５５】
本発明による方法の開示された特徴は、もちろん他の特性を得るために任意に互いに組み合わせ可能である。
【発明を実施するための最良の形態】
【００５６】
次に詳述する図面の説明においては、限定をしないで理解すべきである実施例についてその特徴および他の利点を図面に基づいて明らかにする。図１は本発明の一例の概要を示す略図である。
【００５７】
図１は概要を表す略図にて本発明の方法の模範的部分を示すと共に本発明の幾つかの装置を図式的に示す。
【００５８】
それに従ってデータオブジェクト１が示されている。データオブジェクト１は多数の検査室データもしくは検査室値４を含む。検査室値４を有するデータオブジェクト１は患者に割り当てられていて、医療検査プロセスの枠内において検査室医療用モダリティによって発生させられたものである。データオブジェクト１を発生した図１に示された検査室医療用モダリティは、例えば試験管内診断装置（ＩＶＤ）、すなわち試験管内分析装置３０である。
【００５９】
検査室値４を有するデータオブジェクト１は、医療用モダリティのデータバンク内、すなわち試験管内分析装置３０内に保存されていて、ＤＩＣＯＭ規格でないデータフォーマットにて存在する。代替として検査室値４を有するデータオブジェクト１は病院または診療所の中央サーバ（図示されていない。）に保存されていてもよい。中央サーバは、例えば、図示されていないＰＡＣＳ（医用画像管理）システム内にあり、ＰＡＣＳシステムの遠距離通信を介して、すなわちイントラネットネットワーク接続を介して、オンラインにてかつほとんど時間遅れなしに連絡可能である。同様に、検査室値４を有するデータオブジェクト１は、インターネットにより連絡可能であるディジタルコンピュータもしくは記憶媒体にも保存可能である。
【００６０】
更に、図１には本発明による方法の他の構成部分としてのシャドウグループオブジェクト３が示されている。シャドウグループオブジェクト３は、ＤＩＣＯＭ規格にしたがって指定されていて、ＤＩＣＯＭ規格でないデータをＤＩＣＯＭフォーマットのデータセットもしくはオブジェクトに組み入れるために役立つ。
【００６１】
更に、患者の胸部のＸ線画像シリーズ２ａ，２ｂ，２ｃにて医療データセット２が示されていて、これらの医療データセット２はＤＩＣＯＭフォーマットにて存在するか、もしくは発生させられる。ここでは本発明による方法の一部分によってデータオブジェクト１がシャドウグループオブジェクト３の助けにより医療データセット２に組み込まれる。データオブジェクト１の直接的な組み込みのほかに、データオブジェクト１を、本方法による組み込み前に、先ず相応に変換することもできる。
【００６２】
この場合に、Ｘ線画像シリーズ２ａ，２ｂ，２ｃもしくは医療データセット２は、図１に図式的に示されたここではＸ線装置３２である第２の医療用モダリティによって撮影される。
【００６３】
医療データセット２へのシャドウグループオブジェクト３の組み込みは、医療データセット２の作成中に行なうことができ、あるいはその作成およびディジタルメモリ媒体（図１には示されていない。）への保存の後に行なうこともできる。
【００６４】
試験管内分析装置３０は検査室にあり、検査室は空間的にＸ線装置３２から隔離されている。試験管内分析装置３０もしくは保存されたデータオブジェクト１は、Ｘ線装置３２とデータ技術的にネットワーク接続を介して接続されている。
【００６５】
本発明による方法によれば、ここで、既に述べたように、ＤＩＣＯＭフォーマットにて存在する医療データセット２へのＤＩＣＯＭ規格でないデータオブジェクト１の組み込みが、医療データセットへのシャドウグループオブジェクト３の利用もしくは組み込みのもとに行われる。今やそれにより医療データセット２もしくはＸ線画像シリーズ２ａ，２ｂ，２ｃに組み込まれた検査室値４が、本発明による方法の更なる経過において、プロセスを制御するために利用される。プロセスは、医療技術的方法であり、例えば図１に示されているように、例えば画面５０のような表示装置における以前に撮影されたＸ線画像２ｃの検査室値４に依存して変更されたＸ線画像表示２ｃ’ならびにデータオブジェクト１もしくはその中に含まれた検査室値４の表示を含む。
【００６６】
画面は、個別の画像５０であってもよいし、あるいはＸ線装置３２に接続されたデータ処理装置（図１には示されていない。）の構成部分またはＸ線装置３２の直接の構成部分であってもよい。
【００６７】
代替として本発明による方法にしたがって、例えば患者に関するなおも迅速かつ確かな診断所見を作成することを医師に対して可能にするために、医療データセットの変化する表示に対して、データオブジェクト１もしくはその中に含まれる検査室値４に依存してＸ線装置３２の動作を制御することも考えられ得る。本発明によれば、診断所見の信頼性および質を大幅に改善することができる。
【００６８】
同様に、本発明によれば、全ての他の開示された方法部分を任意に互いに組み合わせることができる。
【００６９】
最後に指摘しておくに、本発明および実施例の説明は基本的に本発明の特定の物理的な実現に関して限定的に理解すべきではない。本発明が部分的にまたは完全にソフトウェアおよび／またはハードウェアおよび／または多数の物理的な生産物にて（この場合、特にコンピュータプログラム生産物にても）分担して実現できることは、当業者にとって自明のことである。
【図面の簡単な説明】
【００７０】
【図１】本発明による方法の模範的部分を示す概略図
【符号の説明】
【００７１】
１                データオブジェクト
２                医療データセット
２ａ，２ｂ，２ｃ  Ｘ線画像シリーズ
２ｃ’            変更された画像表示
３                シャドウグループオブジェクト
４                検査室値
３０              試験管内分析装置
３２              Ｘ線装置
５０              画面
【図１】
2008234644.tif 000003